(57)【要約】【課題】補強用のリブを形成することが困難な箇所であっても、ボスのビス締めによる変形を抑えることのできるケーシングのビス止め構造及びこれを具えた電子機器を提供する。【解決手段】本発明のケーシングのビス止め構造は、ビス穴51の形成されたボス50を有する第１ケーシング22と、該ボスのビス穴と対向する位置にビス孔62が貫通開設された第２ケーシング60と、前記ビス孔を貫通しボスのビス孔にビス70を螺合してなるケーシングのビス止め構造において、前記第１ケーシングは、前記ボスの周縁に突設された係合片52を有し、前記第２ケーシングは、前記ビスの締付回転方向にて前記係合片と当接する位置に係合受部63を有する。【選択図】図４
2013172163.tif 000002
【特許請求の範囲】
【請求項１】
ビス穴の形成されたボスを有する第１ケーシングと、該ボスのビス穴と対向する位置にビス孔が貫通開設された第２ケーシングと、前記ビス孔を貫通しボスのビス孔にビスを螺合してなるケーシングのビス止め構造において、
前記第１ケーシングは、前記ボスの周縁に突設された係合片を有し、
前記第２ケーシングは、前記ビスの締付回転方向にて前記係合片と当接する位置に係合受部を有する、
ことを特徴とするケーシングのビス止め構造。
【請求項２】
ボスは、第１ケーシングから突設された杆状又は板状のアームの先端に形成される請求項１に記載のケーシングのビス止め構造。
【請求項３】
前記アームには、接続用の配線又は端子が挿通する切欠きが形成される請求項２記載のケーシングのビス止め構造。
【請求項４】
請求項１乃至請求項３の何れかに記載のケーシングのビス止め構造を具えた電子機器。
【発明の詳細な説明】
【技術分野】
【０００１】
本発明は、ケーシングどうしを締結するためのビス止め構造及びこれを具えた電子機器に関するものであり、より具体的には、ビス締めを行なったときにケーシングの変形を抑えることのできるビス止め構造及びこれを具えた電子機器に関する。
【背景技術】
【０００２】
デジタルカメラなどの電子機器においては、外観筺体を前ケーシングと後ケーシングから構成し、内部にインナーケーシングを配置し、これらをビス止めにより締結している(例えば、特許文献１参照)。
【０００３】
これら電子機器においては、薄型化が求められており、樹脂材料からなる各ケーシングにも薄肉化が要求される。
【先行技術文献】
【特許文献】
【０００４】
【特許文献１】特開２００８−１９３５８９号公報
【発明の概要】
【発明が解決しようとする課題】
【０００５】
しかしながら、ケーシングの薄肉化を図る結果、ビスを螺合させるボスに十分な強度を担保することができず、ビス締めを行なったときに、その締付けの際に生ずるトルクによって、ボス近傍のケーシングがビスの締付回転方向に撓んで変形することがある。
【０００６】
また、ボス近傍の強度を高めるために、ボスに沿って複数のリブを形成することが一般的ではあるが、電源や外部機器との接続のための配線や端子の経路が必要となる場合には、リブ等を形成することができず、補強が困難となる。
【０００７】
本発明の目的は、補強用のリブを形成することが困難な箇所であっても、ボスのビス締めによる変形を抑えることのできるケーシングのビス止め構造及びこれを具えた電子機器を提供することである。
【課題を解決するための手段】
【０００８】
本発明のケーシングのビス止め構造は、
ビス穴の形成されたボスを有する第１ケーシングと、該ボスのビス穴と対向する位置にビス孔が貫通開設された第２ケーシングと、前記ビス孔を貫通しボスのビス孔にビスを螺合してなるケーシングのビス止め構造において、
前記第１ケーシングは、前記ボスの周縁に突設された係合片を有し、
前記第２ケーシングは、前記ビスの締付回転方向にて前記係合片と当接する位置に係合受部を有する。
【発明の効果】
【０００９】
本発明のケーシングのビス止め構造によれば、係合片と係合受部を当接させた状態で第１ケーシングと第２ケーシングをビス止めにより締結する際に、ボスがビスの締付回転方向へのトルクを受けても、係合片が係合受部に当たっているから、ボスの回転を阻止することができる。このため、ビスの締付けによるボスの撓みや変形が抑えられる。
【００１０】
第１ケーシングの薄肉化やボスの形成位置により、ボスの補強を十分に図れない場合でも、ボスはビスの締付けにより撓みや変形を受け難いから、電源や外部機器との接続のための配線や端子の経路を確保するなど、第１ケーシングの設計の自由度を高めることができる。
【図面の簡単な説明】
【００１１】
【図１】図１は、本発明の一実施例であるケーシングのビス止め構造を具えるデジタルカメラを斜め下方から見た斜視図である。
【図２】図２は、図１のデジタルカメラの底面図である。
【図３】図３は、前ケーシングから後ケーシングを取り外した分解斜視図である。
【図４】図４は、図１のデジタルカメラについて、ボスを通る線IV−IVに沿って切断した部分拡大断面図である。
【図５】図５は、図１のデジタルカメラについて、保持リブを通る線Ｖ−Ｖに沿って切断した断面拡大斜視図である。
【発明を実施するための形態】
【００１２】
以下、電子機器としてデジタルカメラ(10)に本発明を適用した実施例について説明する。なお、各図において、理解を容易にするためにデジタルカメラ(10)の電気部品を省略している。
【００１３】
デジタルカメラ(10)は、図１乃至図５に示すように、外装となると共に、内部の電子部品を支持する樹脂製の前ケーシング(20)と後ケーシング(60)(本発明における第２ケーシングに相当)により包囲して形成される。
【００１４】
前ケーシング(20)は、外周側の化粧パネル(21)と、該化粧パネル(21)の内側に配置されたインナーケーシング(22)(本発明における第１ケーシングに相当)から構成される。
化粧パネル(21)とインナーケーシング(22)は、接着、貼着、ビス止め、係合などの要領で一体化されている。
【００１５】
また、前ケーシング(20)と後ケーシング(60)は、フック機構による係合や、ビス(70)止めにより締結される。
【００１６】
デジタルカメラ(10)には、その機能を実行するために、レンズ、フラッシュ、シャッタボタンや電源ボタン、外部出力用のＨＤＭＩやＵＳＢ接続用の端子、外部電源との接続用端子、バッテリ、メモリなどの接続部などが、外部から操作、視認又はカバー等に覆われて、必要に応じて外部からアクセス等可能となっている。
【００１７】
例えば、図１乃至図３に符号(61)で示す凹部には、外部電源と接続するＤＣカプラー(図示せず)が収容される。ＤＣカプラーの配線は、凹部(61)を通って筐体の内部に延びている。
なお、凹部(61)は、外部電源との接続が不要の場合にはカバー(図示せず)により閉じることができる。
【００１８】
本実施例では、この凹部(61)に、本発明のケーシングのビス止め構造を採用して説明する。勿論、本発明の適用箇所は、凹部(61)に限定されるものでない。
【００１９】
上記凹部(61)は、後ケーシング(60)の外側面を凹設して形成される。凹部(61)の近傍、より具体的には、凹部(61)よりも背面側には、後ケーシング(60)を貫通開設して形成されたビス孔(62)が設けられており、該ビス孔(62)にビス(70)を挿通することで、後ケーシング(60)はインナーケーシング(22)と締結される。
【００２０】
インナーケーシング(22)は、後ケーシング(60)の凹部(61)と対応する位置に、杆状又は板状のアーム(40)を後方に向けて突設しており、該アーム(40)の先端には、前記後ケーシング(60)のビス孔(62)と対向する位置にビス穴(51)の形成された筒状のボス(50)が設けられている。
【００２１】
アーム(40)には、凹部(61)と対向する位置に上述したＤＣカプラー用の配線又は端子が挿通、配設される切欠き(41)が形成され、アーム(40)が幅狭となっている。即ち、アーム(40)は、この切欠き(41)の位置で撓み変形し易くなっており、ボス(50)がビス(70)の締付回転方向のトルクを受けると、そのトルクによりアーム(40)が撓んで、ボス(50)自体が図４の矢印Ａ方向にズレてしまう。
【００２２】
そこで、本発明では、図３及び図４に示すように、ボス(50)の周縁に、後ケーシング(60)に向けて延びる係合片(52)を突設すると共に、後ケーシング(60)には、ビス(70)を締め付けたときに締付回転方向(図４の矢印Ａ)にて係合片(52)と当接する位置に係合受部(63)を突設している。
【００２３】
なお、ボス(50)のアーム(40)への取付強度を高めるために、図示の実施例では、アーム(40)は、図４及び図５に示すように、先端を拡径した保持リブ(42)を有し、該保持リブ(42)上にボス(50)を設けている。保持リブ(42)の外周は、後ケーシング(60)の内面に沿う形状とし、後ケーシング(60)の保持も兼ねている。
【００２４】
図示の実施例では、係合片(52)の強度をより高めるために、係合片(52)は保持リブ(42)にも連続するよう一体に成形している。
【００２５】
また、ボス(50)の撓み等を抑えるために、ボス(50)の周縁と保持リブ(42)との間に１又は複数の補強リブ(43)を設けている。
【００２６】
前述した後ケーシング(60)の係合受部(63)は、後ケーシング(60)の周縁近傍から突設されたフック形状の部材を例示することができる。係合受部(63)は、図１に示すように前ケーシング(20)と後ケーシング(60)とを嵌め合わせた状態で、インナーケーシング(22)の係合片(52)とビス(70)の締付回転方向(図４の矢印Ａ)で当接するよう先端が内向きに屈曲した爪片(64)を具える。
【００２７】
上記構成のデジタルカメラ(10)のケーシングのビス止め構造において、図３の状態から、図１及び図２に示すように前ケーシング(20)と後ケーシング(60)を嵌め合わせ、ビス(70)を後ケーシング(60)のビス孔(62)(図３参照)から挿通して、インナーケーシング(22)のボス(50)のビス穴(51)に螺合させることで、インナーケーシング(22)は後ケーシング(60)に締結される。
【００２８】
このとき、ビス(70)を図４の矢印Ａで示す締付回転方向に回すことで、ボス(50)には、その締付回転方向にトルクが作用するから、アーム(40)は幅狭となる切欠き(41)の形成位置で撓み変形する方向の力を受ける。しかしながら、ボス(50)に締付回転方向のトルクが作用したときに、ボス(50)がその締付回転方向に追従して回転しようとすると、係合片(52)が係合受部(63)と当接し、ボス(50)の回転は規制される。
【００２９】
より具体的には、図４に示すように、係合片(52)が係合受部(63)の爪片(64)と当接し、ボス(50)の締付回転方向の回転が規制される。
【００３０】
上記のようにボス(50)に作用するトルクは、係合片(52)と係合受部(63)との当接により受け止められて、ボス(50)を回転させることはない。従って、ボス(30)に関しては、補強用のリブなどのアーム(40)に対する補強構造を削減又は簡略化することができる。
【００３１】
また、ボス(50)が締付回転方向の回転を規制されていることから、アーム(40)にも撓みや変形させる力は殆んど作用しない。従って、アーム(40)に関しては、薄肉化や幅狭化を達成でき、ひいては、第１ケーシングであるインナーケーシング(22)の薄肉化、これを用いたデジタルカメラ(10)の小型化、薄型化も実現できる。
さらには、アーム(40)に切欠き(41)や孔を設けるなど、インナーケーシング(22)の設計の自由度を高めることができ、配線や端子の経路などを容易に確保することができる。
【００３２】
なお、上記では、電子機器として、デジタルカメラ(10)を例示し、本発明のビス止め構造をＤＣカプラー用の凹部(61)に採用しているが、本発明のケーシングのビス止め構造は、携帯電話機やスマートフォン、音楽プレーヤ、タブレット端末等、小型化、薄型化が求められる機器にも適用できることは勿論であり、その適用箇所も上記に限定されるものではない。
【産業上の利用可能性】
【００３３】
本発明は、ケーシングどうしの補強用のリブを形成することが困難な箇所であっても、ボスのビス締めによる変形を抑えることのできるケーシングのビス止め構造及びこれを具えた電子機器として有用である。
【符号の説明】
【００３４】
(10)  デジタルカメラ(電子機器)
(22)  インナーケーシング(第１ケーシング)
(40)  アーム
(50)  ボス
(52)  係合片
(60)  後ケーシング(第２ケーシング)
(63)  係合受部
(70)  ビス
【図１】
2013172163.tif 000003
【図２】
2013172163.tif 000004
【図３】
2013172163.tif 000005
【図４】
2013172163.tif 000006
【図５】
2013172163.tif 000007